(57)【要約】【課題】カメラ付き携帯電話のどのような機種にも対応が出来て、自分はもとより多人数での記念写真をとる場合も三脚で携帯電話を固定して自動シャッターを押すことの出来るカメラ付携帯電話の三脚装置を提供することを目的とする。【解決手段】帯電話１が嵌りこむ収容部２を有するホルダー本体３と、該本体３に摺動自在なスライド部材４に保持された自動シャッター５と、本体背面に配された折畳み式の脚部６とから構成され、自動シャッターを保持するスライド部材４が本体に沿って摺動自在となっている。そして本体の両側に縦方向に形成した鋸歯状のラッチ歯７に歯合する係止爪８でスライド部材を所望の位置に保持する。また前記スライド部材４の正面には横方向の長穴１０が設けられ自動シャッターを横方向にスライド自在に保持し固定する。【選択図】  図１
2004157211.tif 000002
【特許請求の範囲】
【請求項１】
携帯電話（１）が嵌りこむ収容部（２）を有するホルダー本体（３）と、該本体に摺動自在なスライド部材（４）と、該スライド部材に保持された自動シャッター（５）とから構成されたカメラ付き携帯電話の三脚装置。
【請求項２】
前記スライド部材（４）がラッチ機構で任意な位置で摺動を規制されるようにした請求項１記載のカメラ付き携帯電話の三脚装置。
【請求項３】
前記本体（３）の背面に折畳み式脚部（６）及び底面に通常の三脚の取り付けネジ穴（１５）を設けた請求項１記載のカメラ付き携帯電話の三脚装置。
【請求項４】
前記自動シャッター（５）がスライド部材（４）の長穴（１０）内で滑動自在であり任意な位置で摺動規制されるようになっている請求項１記載のカメラ付き携帯電話の三脚装置。
【請求項５】
アジャスタラバー（１３）が前記収容部（２）の一側に設けられている請求項１記載のカメラ付き携帯電話の三脚装置。
【発明の詳細な説明】
【０００１】
【発明の属する技術分野】
本発明はカメラ付きの携帯電話を三脚に乗せ自動的にシャッターを切ることの出来るカメラ付き携帯電話の三脚装置に関する。
【０００２】
【従来の技術】
【特許文献１】実開平７−１４４４９号公報
【特許文献２】実開平３―５６９２４号公報
【特許文献３】特開２００２―１３１８２６号公報
【０００３】
近時、カメラ付き携帯電話が普及し始めている。このカメラ付き携帯電話を用いて本人を撮影したい場合、片手にカメラ付き携帯電話を持ちレンズを自分に向け、腕を伸ばしてシャッターボタンを押して撮影をする必要がある。また多人数での記念写真をとる場合も他の人に頼まなければならないという問題があった。
【０００４】
使い捨てカメラ用のセルフタイマー付き三脚装置として特許文献１（実開平７−１４４４９号公報）、特許文献２（実開平３―５６９２４号公報）及び（特開２００２―１３１８２６号公報）に開示されるものはあるが、いずれも使い捨てカメラ専用であるため自動シャッタ−のプッシュロッドがカメラのプッシュボタン位置に固定されておりカメラ付き携帯電話のように機種によりカメラのプッシュボタン位置が異なるものでは対応が出来ないという問題があった。
【０００５】
【発明が解決しようとする課題】
かかる不具合を解決するために為されたものでカメラ付き携帯電話のどのような機種にも対応が出来て、自分はもとより多人数での記念写真をとる場合も人に頼まず三脚で携帯電話を固定して自動シャッターを押すことの出来るカメラ付携帯電話の三脚装置を提供することを目的とする。
【０００６】
【課題を解決するための手段】
本発明の要旨は以下のとおりである。
（１）    携帯電話が嵌りこむ収容部を有するホルダー本体と、該本体に摺動自在なスライド部材と、該スライド部材に保持された自動シャッターとから構成されたカメラ付き携帯電話の三脚装置である。
（２）    前記スライド部材がラッチ機構で任意な位置で摺動を規制されるようにしたものである。
（３）    前記本体の背面に折畳み式脚部及び底面に通常の三脚の取り付けネジ穴を設けたものである。
（４）    前記自動シャッターがスライド部材の長穴内で滑動自在であり任意な位置で摺動規制されるようにしたものである。
（５）    アジャスタラバーが前記収容部の一側に設けられ、ホルダー本体のがたつきを防止すると共にどのような機種でも保持出来るようにしたものである。
【０００７】
【発明の実施の形態】
本発明カメラ付き携帯電話の三脚装置を図面を参照にして説明する。
図１は本発明の三脚装置にカメラ付き携帯電話を保持させた状態を示す斜視図、図２は携帯電話を外した状態の三脚装置の斜視図、図３は自動シャッターのスライド部材への装着状態を示す断面図、図４はラッチ機構の歯合状態を示す断面図、図５はラッチ機構の離脱状態を示す断面図である。
【０００８】
本発明のカメラ付き携帯電話の三脚装置は、図１に示すように携帯電話１が嵌りこむ収容部２を有するホルダー本体３と、該本体３に摺動自在なスライド部材４に保持された自動シャッター５と、本体背面に配された折畳み式の脚部６とから構成されており、特に自動シャッターを任意な位置で係止できるようにスライド部材４をコ字状の枠体に形成し、ホルダー本体に沿って折り曲げられた保持部４ａが本体に沿って摺動する。そして本体の両側に縦方向に形成した鋸歯状のラッチ歯７に歯合する係止爪８を揺動するラッチレバー９が前記保持部４ａに設けられている。また前記スライド部材４の正面には横方向の長穴１０が設けられ自動シャッターを横方向にスライド自在に保持している。
【０００９】
またカメラ付携帯電話の左右のぐらつきをなくす為に、図２に示すようにアジャスタタラバー１３が該収容部２の一側に設けられている。そしてこのアジャスタラバー１３はゴム、スポンジ、発泡ウレタンなどの弾性材で形成され、どのような機種でも収容部に嵌め込める機能も有している。また通常の三脚も使用できるようにホルダー３の底部に三脚取付け用のネジ穴１５を設けてある。
【００１０】
尚、自動シャッタ−５は、図３に示すようにケーシング１６内にハンドルノブ１７と一体のローター１８を回動自在に収容し、該ローターの軸芯に携帯カメラのシャッターボタンを押すプッシュロッド１９を挿通する。そしてプッシュロッド１９のネジ山とローター１８のネジ山が歯合してローター１８を巻きバネ２０に抗して右回転させたときにロッド１９がローター１８内に収まり、巻きバネ２０の付勢力で左回転したときにローター１８から突出するようにする。
【００１１】
この自動シャッター５のスライド部材４への装着は、スライド部材４の前面に形成する長穴１０にネジ付きブッシュ２１をケーシング１６後端に設けたネジ穴にねじ込むことにより行う。このねじ込みでブッシュ２１の鍔がスライド部材４を締め付けて自動シャッターを任意な位置で固定することが出来る。尚、プッシュロッド１９はブッシュ２１の軸穴に軽く圧接するようにしてありローター回動でプッシュロッド１９を上動または下動することが出来る。
【００１２】
自動シャッター５は前述の構成に限らず特許文献１、特許文献２及び特許文献３に開示されるようなプッシュロッドの突出を巻きバネで一定時間保持する公知の手段を使用しても良い。
【００１３】
スライド部材４を任意な位置で保持するラッチ機構は第４図及び第５図に示すようにスライド部材４を合成樹脂で形成し、保持部４ａの中ほどを基端を残して縦方向に切り欠いた係止爪８が前記ラッチレバー９に押されて傾倒しラッチ歯７に係合するようになっている。すなわち保持部４ａから突出させた支持部４ｂに支軸されるラッチレバー９を図３に示すように押し下げた時にその先端が係止爪８を前方に押し込んで本体のラッチ歯７に係合する。
【００１４】
そして本発明の三脚装置を使用する場合は、収容部２へカメラ付き携帯電話１の台座部分を嵌め込み、そして自動シャッター５のプッシュロッド１９とカメラのシャッターボタンが整合するようにスライド部材４を上下に動かして位置合わせをし、ラッチレバー９を押し下げて係止爪８をラッチ歯７に係合させてその位置でスライド部材４を固定する。そしてセルフタイマー５を横方向に移動させてセルフタイマー５のプッシュロッド１９と携帯電話１のカメラボタンの位置合わせをしておく。そして被写体に合わせて脚部６を立て携帯電話カメラ１２の角度調整を行い画像表示部１４で画像を確認する。カメラを乗せる対象物が金属製の場合は脚部６基端に設けたマグネット１１を吸着させて安定性を保つようにする。そしてセルフタイマーのネジを巻き上げて図示しない起動ボタンを押して自動シャッター５を作動させる。また通常の三脚を用いる場合は、三脚の取り付けネジ穴１５へ三脚を差し込み三脚で被写体を合わせるようにする。
【００１５】
【発明の効果】
本発明のカメラ付き携帯電話の三脚装置を用いればスライド部材を介して任意な位置に自動シャッターを移動できるのでカメラボタン位置の異なるどのような携帯電話にも対応が出来る。またアジャストラバーにより若干サイズの異なる携帯電話も嵌め込むこともできる。そして今までカメラ付携帯電話で多人数での記念撮影などが容易にできてなかったのが出来るようになるなどの効果がある。
【図面の簡単な説明】
【図１】本発明の三脚装置にカメラ付き携帯電話を保持させた状態を示す斜視図である。
【図２】携帯電話を外した状態の三脚装置の斜視図である。
【図３】自動シャッターのスライド部材への装着状態を示す断面図である。
【図４】ラッチ機構の歯合状態を示す断面図である。
【図５】ラッチ機構の離脱状態を示す断面図である。
【符号の説明】
１  カメラ付携帯電話
２  収容部
３  ホルダー本体
４  スライド部材
５  自動シャッター
６  脚部
７  ラッチ歯
８  係止爪
９  ラッチレバー
１０  長穴
１１  固定マグネット
１２  カメラレンズ
１３  アジャストラバー
１４  画像表示部
１５  三脚取り付けネジ穴
１６  ケーシング
１７  ハンドルノブ
１８  ローター
１９  プッシュロッド
２０  巻きバネ
２１  ブッシュ
【図１】
2004157211.tif 000003
【図２】
2004157211.tif 000004
【図３】
2004157211.tif 000005
【図４】
2004157211.tif 000006
【図５】
2004157211.tif 000007